(57)【特許請求の範囲】
【請求項１】
足場材におけるパイプ状の部位に挿入可能な円筒状の挿入筒部、該挿入筒部の軸方向中間部位において全周に亘って突出している環状の突出筒部、及び該突出筒部よりも端部側で前記挿入筒部の外周面に開口している開口部を有している装置本体と、
前記開口部を通って前記挿入筒部の軸直角方向に出没するロックピンと、
該ロックピンが取付けられており前記挿入筒部内に挿入されて前記ロックピンを前記開口部から突出する方向へ付勢しているバネ部材と
を具備しており、
前記ロックピンは、
該ロックピンを前記バネ部材の付勢力によって前記開口部から突出させた状態における前記挿入筒部の外周面よりも外方の位置を基端とし、先端へ向かうに従って、前記開口部が開口している前記挿入筒部の端部側から遠ざかる方向へ傾斜しているガイド面と、
前記ロックピンにおける前記ガイド面の基端又は基端よりも先端側の位置において、前記ロックピンの外周面のうち少なくとも前記ガイド面を除いた部位から前記ロックピンの軸直角方向へ前記開口部を通過可能な大きさに延出しており、前記バネ部材の付勢力に抗して前記ロックピンを没入させた際に、前記開口部の縁に係止可能な係止面部と
を有していることを特徴とする足場用連結装置。
【請求項２】
前記装置本体の開口部が、円形に開口していることを特徴とする請求項１に記載の足場用連結装置。
【発明の詳細な説明】
【技術分野】
【０００１】
本発明は、建築現場等で用いられる足場材におけるパイプ状の部位同士を連結するための足場用連結装置に関する。
【背景技術】
【０００２】
住宅やビル等の建物、橋梁やトンネル等の土木構造物、等の建築現場では、必要な高さまで足場材を上下に連結して足場を構築している。足場材同士を連結する連結装置としては、円筒状で開口部とガイド孔が軸方向に離間して形成されているピン本体と、ピン本体の内部に配置されており、開口部を通して先端側が外部へ出没可能な係合突起、係合突起の先端側とは反対側の基端側からガイド孔まで延びている連杆部、及び連杆部からガイド孔内へ突出しているガイド突起を有している係合部材と、係合部材の連杆部を係合突起がピン本体から突出するように付勢しているバネと、を備えた連結装置が知られている（例えば、特許文献１及び特許文献２）。
【０００３】
特許文献１及び特許文献２の技術では、係合突起のピン本体の端部を向いた面に、ピン本体の開口部の縁と係合可能な係合段部を形成すると共に、係合段部の先端側と基端側に同じ向きに傾斜した滑り面を形成している。これにより、ピン本体を足場材のパイプ状の部位に挿入した時に、足場材の端部が滑り面に当接することで、係合突起がバネの付勢力に抗してピン本体内に没入し、ピン本体を足場材に簡単に挿入することができる。そして、没入した係合突起を、バネの付勢力によって足場材の係合孔へ突出させることで、足場材からピン本体（連結装置）が抜けないように連結することができる。一方、足場材から連結装置を外す時は、係合突起を押圧して、係合段部をピン本体の開口部の縁に係合させることで、係合突起が半分程度没入した状態が保持され、足場材から連結装置を引き抜いて外すことができる。
【０００４】
しかしながら、特許文献１及び特許文献２の技術では、係合突起がピン本体内に没入する際に、係合突起が係合部材のガイド突起側を中心とした円周に沿って移動するため、バネの付勢力がピン本体の軸直角方向に対して端部側へ傾いた方向へ作用することとなる。そして、係合突起を没入させるための滑り面の途中に係合段部が形成されているため、ピン本体を足場材に挿入することで、係合突起がピン本体内に没入した後にバネの付勢力によって突出しようとする際に、斜めに作用する付勢力によって係合段部がピン本体の開口部の縁に係合したままになってしまい、係合突起が足場材の係合孔へ突出しないことがあった。そのため、ピン本体の開口部の縁と係合突起との係合が解除されるように、足場材の係合孔を通して係合突起を操作する必要があり、連結作業に手間がかかってしまう問題があった。
【発明の概要】
【発明が解決しようとする課題】
【０００５】
そこで、本発明は上記の実情に鑑み、足場材同士を簡単に連結することが可能な足場用連結装置の提供を課題とする。
【課題を解決するための手段】
【０００６】
上記の課題を解決するために、本発明に係る足場用連結装置は、「足場材におけるパイプ状の部位に挿入可能な円筒状の挿入筒部、該挿入筒部の軸方向中間部位において全周に亘って突出している環状の突出筒部、及び該突出筒部よりも端部側で前記挿入筒部の外周面に開口している開口部を有している装置本体と、前記開口部を通って前記挿入筒部の軸直角方向に出没するロックピンと、該ロックピンが取付けられており前記挿入筒部内に挿入されて前記ロックピンを前記開口部から突出する方向へ付勢しているバネ部材とを具備しており、前記ロックピンは、該ロックピンを前記バネ部材の付勢力によって前記開口部から突出させた状態における前記挿入筒部の外周面よりも外方の位置を基端とし、先端へ向かうに従って、前記開口部が開口している前記挿入筒部の端部側から遠ざかる方向へ傾斜しているガイド面と、前記ロックピンにおける前記ガイド面の基端又は基端よりも先端側の位置において、前記ロックピンの外周面のうち少なくとも前記ガイド面を除いた部位から前記ロックピンの軸直角方向へ前記開口部を通過可能な大きさに延出しており、前記バネ部材の付勢力に抗して前記ロックピンを没入させた際に、前記開口部の縁に係止可能な係止面部とを有している」ことを特徴とする。
【０００７】
ここで、「バネ部材」としては、「装置本体の軸直角方向へ湾曲していると共に湾曲の頂点にロックピンの基端が取付けられる帯板状の板バネ」、「一方の端部にロックピンの基端が取付けられるコイルバネ」、「Ｕ字状に屈曲しており一方の端部付近の外面にロックピンの基端が取付けられる帯板状の板バネ」、等を例示することができる。
【０００８】
本発明の足場用連結装置は、装置本体の挿入筒部の開口部からバネ部材の付勢力によってロックピンを突出させた状態で、足場材におけるパイプ状の部位（以下、単に足場材とも称す）に挿入筒部を挿入すると、足場材の端部にロックピンの傾斜しているガイド面が当接し、バネ部材の付勢力に抗してロックピンが挿入筒部内へ没入する。これにより、挿入筒部を更に深く足場材に挿入することができ、突出筒部が足場材の端部に当接するまで挿入することができる。この際に、ロックピンは突出する方向へバネ部材によって付勢されているため、ロックピンの先端が足場材の内面に当接した状態で、挿入筒部が移動することとなる。そして、ロックピンが足場材に形成されている連結孔と一致すると、バネ部材の付勢力によってロックピンが連結孔内へ突出する。この際に、ロックピンでは、係止面部は少なくともガイド面を除いた外周面に形成されており、ガイド面は連続した一つの面となっている。従って、従来の連結装置とは異なり、ガイド面の途中が開口部の縁に引っ掛かることがなく、ロックピンがスムーズに連結孔内に突出する。これにより、足場材から装置本体を引っ張ってもロックピンが連結孔と係合して抜けることがないため、足場材に対して挿入筒部がロックされた状態となり、足場材に足場用連結装置が連結された状態となる。
【０００９】
そして、例えば、装置本体を突出筒部を境とする対称の構成とすることで、挿入筒部における反対側の部分も上記と同様の手順で足場材に連結させることができる。而して、足場用連結装置によって、足場材同士を連結することができる。
【００１０】
一方、足場材から足場用連結装置を外す場合は、足場材の連結孔からロックピンの先端を挿入筒部の内側へ押圧し、バネ部材の付勢力に抗してロックピンを挿入筒部内へ没入させると共に、ロックピンを開口部の周縁に向けて移動させて、係止面部を挿入筒部の内面に当接させて開口部の縁に引っ掛けて係止させる。これにより、ロックピンの先端側の一部が挿入筒部から突出していると同時に、ガイド面の基端側が開口部を通して挿入筒部内（内面よりも中心側）に没入した状態となる。この状態で、足場用連結装置を足場材から抜く方向へ相対的に移動させると、ロックピンにおいてガイド面とは反対側の面が足場材の連結孔内に当接し、ロックピンが挿入筒部の端部側へ押圧されると共に、ロックピンのガイド面が挿入筒部の開口部の内面に押圧されることとなる。そして、開口部に押圧されるガイド面に案内されて、ロックピンがバネ部材の付勢力に抗して没入する方向へ移動することとなり、ロックピンの先端が連結孔よりも没入する。これにより、ロックピンによるロックが解除され、足場材から挿入筒部（足場用連結装置）を簡単に引き抜くことができる。
【００１１】
このように、本発明の足場用連結装置によれば、ロックピンの基端側から先端へ向かって傾斜しているガイド面を途中に段のない一つの連続した面で構成しているため、仮にガイド面が開口部の縁（挿入筒部において内面側の縁）に当接しても、ガイド面が引っ掛かることがなく、バネ部材の付勢力によってロックピンを確実に装置本体（挿入筒部）に対して出没させることができる。
【００１２】
また、ロックピンを、バネ部材によって開口部から突出する方向、つまり、挿入筒部の軸直角方向へ付勢しているため、ロックピンを装置本体の軸直角方向へ出没させ易い。従って、ロックピンを装置本体内へ没入させた後、バネ部材の付勢力によってロックピンを確実に突出させることができる。
【００１３】
また、本発明に係る足場用連結装置は、上記の構成に加えて、「前記装置本体の開口部が、円形に開口している」ことを特徴としても良い。
【００１４】
本発明によれば、装置本体の開口部を円形としているため、例えば、開口部の中心とロックピンの軸心とが偏芯している状態で装置本体内からロックピンが突出する場合、偏芯していることでガイド面が開口部の内面に当接した状態で突出することとなるが、ロックピンが突出するのに従ってロックピンが太くなるため、ロックピンの軸心が開口部の中心と一致する方向へロックピンが移動することとなる。従って、ロックピンが突出するのに従って開口部との偏芯が解消されるため、係止面部が開口部の縁に引っ掛かることがなく、ロックピンを確実に突出させることができる。
【００１５】
また、開口部を円形にしていることから、ロックピンを備えていない従来の足場用連結装置の装置本体と同じ構成としているため、従来の装置本体を用いることができる。従って、従来の装置本体に、本発明のロックピン及びバネ部材を挿入することで、本発明の足場用連結装置を構築することができ、上記と同様の機能を持たせることができる。
【発明の効果】
【００１６】
このように、本発明によれば、足場材同士を簡単に連結することが可能な足場用連結装置を提供できる。
【図面の簡単な説明】
【００１７】
【図１】（ａ）は本発明の一実施形態である足場用連結装置の斜視図であり、（ｂ）は足場用連結装置によって足場材を連結した状態の縦断面図である。
【図２】足場用連結装置を分解して示す分解斜視図である。
【図３】足場用連結装置による足場材の連結を示す説明図である。
【図４】（ａ）は図１（ｂ）の断面においてロックピンの係止面部を開口部の縁に係止させた状態を拡大して示す断面図であり、（ｂ）は（ａ）におけるＢ−Ｂ断面図である。
【発明を実施するための形態】
【００１８】
本発明の一実施形態である足場用連結装置１について、図１乃至図４を参照して詳細に説明する。本実施形態の足場用連結装置１は、建築現場において足場を構築する足場材Ａ同士を連結するための装置である。足場用連結装置１は、円筒状の装置本体２と、装置本体２の外周面から出没可能とされているロックピン３と、ロックピン３を装置本体から突出する方向（軸直角方向の外方）へ付勢しているバネ部材４と、を備えている。また、足場用連結装置１は、ロックピン３とは装置本体２において軸方向の異なる位置から外方へ出没可能とされている第二ロックピン５と、第二ロックピン５を装置本体２から突出する方向へ付勢している第二バネ部材６と、を備えている。
【００１９】
装置本体２は、足場材Ａにおけるパイプ状の連結部Ｐに挿入可能な円筒状の挿入筒部１１と、挿入筒部１１の軸方向中央よりも一方の端部（図２において下側の端部）側寄りの部位において全周に亘って突出している環状の突出筒部１２と、挿入筒部１１の外周面において軸方向中央よりも突出筒部１２とは反対側（図２において上側）寄りの位置で円形に開口している開口部１３と、挿入筒部１１の両端部のうち開口部１３が開口している側の端部を挿入筒部１１の中心側へ円弧状に湾曲させた丸め部１４と、挿入筒部１１における突出筒部１２に対して開口部１３とは反対側で挿入筒部１１を貫通して円形に開口している第二開口部１５と、を備えている。なお、図示では、開口部１３の反対側に同様の開口を形成しているが、この開口は必須ではない。
【００２０】
ロックピン３は、装置本体２の開口部１３内へ挿入可能とされており、基端側は軸方向から見た外形が八角形に形成されている。このロックピン３は、八角形の各辺において互いに平行に延びている二辺のうちの一辺を形成している側面の基端側付近から、他の一辺を形成している側面の先端側まで斜めに延びているガイド面２２と、ロックピン３におけるガイド面２２の基端よりも若干先端側の位置において、ロックピン３の外周面のうちガイド面２２とガイド面２２の先端側の辺と平行な側面（図１（ｂ）において下方を向いた面）とを除いた部位から、ロックピン３の軸直角方向へ延出している係止面部２３と、ロックピン３の先端においてガイド面２２とは反対側へ斜めに延びている第二ガイド面２４と、を備えている。
【００２１】
ロックピン３の基端からガイド面２２の基端側の辺までの長さが、挿入筒部１１の周壁の厚さよりも若干長い。また、ガイド面２２の先端側の辺は、軸方向から見てロックピン３の外周よりもやや中心寄りに位置している。また、係止面部２３は、装置本体２の開口部１３を通過可能な大きさに形成されている。
【００２２】
バネ部材４は、湾曲している帯板状のバネ本体３１と、バネ本体３１の両端においてバネ本体３１の湾曲よりも小さい曲率半径でバネ本体３１とは逆方向へ湾曲している曲げ部３２と、一方の曲げ部３２から外方へ延出しており先端が折り返されている操作片３３と、を備えている。このバネ部材４のバネ本体３１は、組立てる前の状態では、両端を結んだ線から、湾曲している部分の頂点（中央）までの距離が、挿入筒部１１の内径よりも若干大きく形成されている。
【００２３】
第二ロックピン５は、装置本体２の第二開口部１５内へ挿入可能な大きさの円柱状に形成されている。本実施形態では、第二ロックピン５が、二つの第二開口部１５に対応するように、二つ備えられている。第二バネ部材６は、帯板をＶ字状に曲げて形成されている。第二バネ部材６の両端部付近の外面に、第二ロックピン５が夫々取付けられている。第二バネ部材６は、組立てる前の状態では、先端部同士の距離が、挿入筒部１１の内径よりも若干大きく形成されている。
【００２４】
次に、本実施形態の足場用連結装置１の組立てについて説明する。まず、バネ部材４において湾曲しているバネ本体３１の中央に、ロックピン３の基端側を取付ける。ロックピン３を取付ける際に、ロックピン３のガイド面２２がバネ部材４の操作片３３が備えられている方向を向くように取付ける。本実施形態では、ロックピン３の基端に形成されている四角柱状の取付部２５を、バネ本体３１の中央に形成されている角孔（図示は省略）に挿入し、バネ本体３１の内側に突出した取付部２５をカシメることで、バネ部材４にロックピン３が取付けられている。
【００２５】
そして、ロックピン３が取付けられたバネ部材４を、装置本体２において丸め部１４が形成されている端部側から挿入筒部１１内へ、操作片３３が備えられていない曲げ部３２側から挿入する。この際に、バネ部材４から突出しているロックピン３が、挿入筒部１１内へ進入するように、バネ本体３１を弾性変形させる。そして、バネ部材４から突出しているロックピン３が開口部１３の位置に至ると、バネ部材４の付勢力によってロックピン３の先端が開口部１３を通って、挿入筒部１１の外周面から外方へ突出した状態となる。この際に、バネ部材４の操作片３３を操作することにより、バネ部材４から突出しているロックピン３と、開口部１３との位置を容易に一致させることができる。
【００２６】
バネ部材４の付勢力によってロックピン３を開口部１３から突出させることにより、ロックピン３のガイド面２２が、挿入筒部１１の外周面よりも外方の位置を基端とし、先端へ向かうに従って、開口部１３が開口している挿入筒部１１の端部側から遠ざかるように傾斜している状態となる。
【００２７】
一方、Ｖ字状の第二バネ部材６の両端部付近の外面に、第二ロックピン５を夫々取付ける。本実施形態では、第二ロックピン５の一方の端部に形成されている円柱状の取付部５ａを、第二バネ部材６の端部付近に形成されている取付孔（図示は省略）に挿入した後に、取付部５ａをカシメることによって取付けられている。
【００２８】
両端に第二ロックピン５が取付けられた第二バネ部材６を、装置本体２において丸め部１４とは反対側の端部側から挿入筒部１１内へ挿入する。この際に、二つの第二ロックピン５が挿入筒部１１内に進入するように、第二バネ部材６の付勢力に抗して二つの第二ロックピン５同士を接近させた状態で、第二バネ部材６のＶ字状の両端側（第二ロックピン５が取付けられている側）から挿入する。そして、二つの第二ロックピン５がそれぞれ第二開口部１５の位置に至ると、第二バネ部材５の付勢力によって第二ロックピン５が第二開口部１５を通って、挿入筒部１１の外周面から外方へ突出した状態となる。これにより、足場用連結装置１の組立てが完了する。
【００２９】
次に、本実施形態の足場用連結装置１を用いた足場材Ａ同士の連結について説明する。本実施形態の足場用連結装置１は、装置本体２において突出筒部１２よりも丸め部１４側には挿入筒部１１の外径よりも若干大きい内径の連結部Ｐ（第一連結部Ｐ１）を有した足場材Ａを連結することができ、第一連結部Ｐ１において開口部１３と対応する位置に連結孔ｈが形成されている。一方、突出筒部１２に対して丸め部１４とは反対側には、挿入筒部１１の外径よりも若干大きい内径の連結部Ｐ（第二連結部Ｐ２）を有した足場材Ａを連結することができ、第二連結部Ｐ２において第二開口部１５と対応する位置に第二連結孔ｈ２が形成されている。本実施形態では、第一連結部Ｐ１と第二連結部Ｐ２とが、同じ内外径のパイプである。また、図示は省略するが、一つの足場材Ａの一方の端部に第一連結部Ｐ１が備えられており、その反対側の端部に第二連結部Ｐ２が備えられている。
【００３０】
まず、第一連結部Ｐ１側での足場材Ａとの連結について説明する。第一連結部Ｐ１への足場用連結装置１の連結は、開口部１３からロックピン３を突出させた状態で、挿入筒部１１が丸め部１４側から第一連結部Ｐ１内へ進入するように、第一連結部Ｐ１（足場材Ａ）を突出筒部１２の方向へ移動させる（図３（ａ）を参照）。そして、第一連結部Ｐ１の端部がロックピン３のガイド面２２に当接すると、第一連結部Ｐ１の突出筒部１２の方向への移動に伴って、ロックピン３がバネ部材４の付勢力に抗して挿入筒部１１内へ没入するように移動する（図３（ｂ）を参照）。更に第一連結部Ｐ１が突出筒部１２の方向へ移動すると、ロックピン３が更に挿入筒部１１内へ没入し、バネ部材４の付勢力によってロックピン３の先端が第一連結部Ｐ１の内面と当接した状態で、第一連結部Ｐ１が突出筒部１２の方向へ移動することとなる（図３（ｃ）を参照）。
【００３１】
そして、第一連結部Ｐ１の端部が突出筒部１２の端面と当接し、連結孔ｈがロックピン３（開口部１３）の位置と一致すると、バネ部材４の付勢力によってロックピン３の先端が、連結孔ｈを通して第一連結部Ｐ１の外周面よりも外方へ突出する（図３（ｄ）を参照）。この際に、ロックピン３では、ガイド面２２が連続した一つの面で構成されているため、ガイド面２２の途中が開口部１３の縁に引っ掛かることがなく、ロックピン３がスムーズに連結孔ｈ内に突出する。また、ロックピン３をバネ部材４の湾曲しているバネ本体３１の中央に取付けており、ロックピン３を装置本体２の軸直角方向へ付勢することができるため、ロックピン３を真っ直ぐに突出させることができる。
【００３２】
また、開口部１３を円形としているため、仮に、没入したロックピン３の軸心と開口部１３の中心とが偏芯している状態となった場合、偏芯していることでガイド面２２が開口部１３の内面（内側の縁）に当接した状態で突出することとなる。しかしながら、ロックピン３が突出するのに従ってロックピン３が太くなるため、ロックピン３の軸心が開口部１３の中心と一致する方向へロックピン３が移動することとなる。これにより、ロックピン３の係止面部２３が開口部１３の縁に引っ掛かり難くなり、ロックピン３がスムーズに連結孔ｈ内に突出する。
【００３３】
そして、ロックピン３の先端が連結孔ｈを通って第一連結部Ｐ１の外周面よりも外方へ突出すると共に、ロックピン３においてガイド面２２の基端が、第一連結部Ｐ１の内面よりも外側に位置した状態となるため、足場材Ａを引っ張っても、連結孔ｈの内周面がロックピン３の外周面に当接することとなり、ロックピン３が連結孔ｈと係合して抜けることがない。これにより、足場材Ａの第一連結部Ｐ１に対して挿入筒部１１がロックされた状態となり、第一連結部Ｐ１に足場用連結装置１が連結された状態となる。
【００３４】
一方、足場材Ａの第一連結部Ｐ１から足場用連結装置１を外す場合は、第一連結部Ｐ１の連結孔ｈから突出しているロックピン３を、バネ部材４の付勢力に抗して挿入筒部１１側へ押圧し、ロックピン３を、係止面部２３が挿入筒部１１の内面よりも内側となるまで没入させる。その後、ロックピン３を、開口部１３の周縁に向けて移動させ、係止面部２３を開口部１３の縁に引っ掛けて係止させる（図４（ｂ）を参照）。これにより、ロックピン３の先端側の一部が挿入筒部１１から突出していると同時に、ガイド面２２の基端が開口部１３を通して挿入筒部１１内（内面よりも中心側）に没入した状態となる（図４（ａ）を参照）。
【００３５】
この状態で、足場用連結装置１が足場材Ａの第一連結部Ｐ１から抜けるように、第一連結部Ｐ１を移動させると（図４（ａ）において矢印の方向へ移動させると）、ロックピン３の外周面において第二ガイド面２４が形成されている側の面に、第一連結部Ｐ１の連結孔ｈが当接することとなる。これにより、ロックピン３が挿入筒部１１の丸め部１４側へ押圧され、ロックピン３のガイド面２２が開口部１３の内周面に当接することとなる。そして、開口部１３に押圧されたガイド面２２に案内されて、ロックピン３がバネ部材４の付勢力に抗して挿入筒部１１内へ没入する方向に移動し、ロックピン３の先端が連結孔ｈよりも没入すると、ロックピン３によるロックが解除される。この状態で、第一連結部Ｐ１から挿入筒部１１を引き抜くことで、第一連結部Ｐ１から足場用連結装置１を外すことができる。
【００３６】
次に、第二連結部Ｐ２側での足場材Ａとの連結について説明する。第二連結部Ｐ２への足場用連結装置１の連結は、背向している一対の第二ロックピン５の先端同士の間隔が、第二連結部Ｐ２の内径よりも小さくなるように、第二ロックピン５を第二バネ部材６の付勢力に抗して挿入筒部１１側へ押圧し、その状態で、足場用連結装置１を、挿入筒部１１の第二開口部１５側の端部側から第二連結部Ｐ２内へ挿入する。そして、第二連結部Ｐ２の端面に突出筒部１２の端面を当接させる。この状態で、足場用連結装置１を、その軸周りに回転させて、第二ロックピン５と第二連結孔ｈ２と一致させると、第二バネ部材６の付勢力によって第二ロックピン５が第二連結孔ｈ２を通ってその先端が第二連結部Ｐ２の外周面よりも外方へ突出した状態となる。これにより、足場材Ａの第二連結部Ｐ２に対して足場用連結装置１の第二開口部１５側の挿入筒部１１が、ロックされた状態となり、第二連結部Ｐ２に足場用連結装置１が連結された状態となる。
【００３７】
第二連結部Ｐ２から足場用連結装置１を外す場合は、第二連結孔ｈ２から突出している第二ロックピン５を、第二バネ部材６の付勢力に抗して第二連結部Ｐ２の内面よりも内側へ没入させる。その状態で、第二連結部Ｐ２から、足場用連結装置１を引き抜いて外すことができる。
【００３８】
上記のように、足場用連結装置１のロックピン３側を足場材Ａの第一連結部Ｐ１に連結すると共に、第二ロックピン５側を別の足場材Ａの第二連結部Ｐ２にすることで、異なる足場材Ａ同士を足場用連結装置１によって連結することができる。
【００３９】
このように、本実施形態の足場用連結装置１によれば、ロックピン３のガイド面２２を連続した一つの面で構成しているため、仮にガイド面２２が開口部１３の縁に当接しても、ガイド面２２が引っ掛かることがなく、バネ部材４の付勢力によってロックピン３を確実に装置本体２（挿入筒部１１）から突出させることができる。
【００４０】
また、ロックピン３を、バネ部材４によって挿入筒部１１の軸直角方向へ付勢しているため、ロックピン３を装置本体２の軸直角方向へ出没させ易い。従って、ロックピン３を装置本体内２へ没入させた後、バネ部材４の付勢力によってロックピン３を確実に突出させることができ、足場材Ａ同士を簡単に連結することができる。
【００４１】
更に、装置本体２の開口部１３を円形としているため、ロックピン３が挿入筒部１１に没入した状態からバネ部材４の付勢力によって突出する際に、仮に、ロックピン３の軸芯が開口部１３の中心に対して偏芯していたとしても、ガイド面２２が開口部１３の円形の内周面に当接することで、ロックピン３が突出するのに従ってロックピン３の軸心を開口部１３の中心と一致する方向へ移動させることができる。従って、ロックピン３が突出するのに従って開口部１３との偏芯が解消されるため、係止面部２３が開口部１３の縁に引っ掛かることがなく、ロックピン３を確実に突出させることができる。
【００４２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４３】
例えば、上記の実施形態では、バネ部材４として、湾曲した平板状の板バネを用いた例を示したが、これに限定するものではなく、バネ部材４として、一方の端部にロックピン３の基端が取付けられるコイルバネ、又は、Ｕ字状に屈曲しており一方の端部付近の外面にロックピン３の基端が取付けられる帯板状の板バネ、等を用いても良い。
【００４４】
また、上記の実施形態では、突出筒部１２を境に開口部１３側と第二開口部１５側とが非対称の異なる構成の足場用連結装置１を示したが、これに限定するものではなく、突出筒部１２を境に、開口部１３側と同じ構成を対称に備えた足場用連結装置としていも良い。
【符号の説明】
【００４５】
１  足場用連結装置
２  装置本体
３  ロックピン
４  バネ部材
５  第二ロックピン
６  第二バネ部材
１１  挿入筒部
１２  突出筒部
１３  開口部
１４  丸め部
１５  第二開口部
２２  ガイド面
２３  係止面部
２４  第二ガイド面
２５  取付部
３１  バネ本体
３２  曲げ部
３３  操作片
Ａ  足場材
ｈ  連結孔
ｈ２  第二連結孔
Ｐ  連結部
Ｐ１  第一連結部
Ｐ２  第二連結部
【先行技術文献】
【特許文献】
【００４６】
【特許文献１】特許第２５４３６４４号公報
【特許文献２】特許第２５４８８９３号公報
【図１】
0005878898.tif 000002
【図２】
0005878898.tif 000003
【図３】
0005878898.tif 000004
【図４】
0005878898.tif 000005